(57)【要約】【課題】高い利便性を有する通信端末装置を提供する。【解決手段】  Ｓ／ＭＩＭＥゲートウェイ装置２０は、所定の設定項目の設定値に従って動作する。第１のテーブルＴ１は、管理者によって設定された上記設定値を含む。第２のテーブルＴ２−１〜Ｔ２−Ｍは、各ユーザによって設定された上記設定値をそれぞれ含む。さらに、第３のテーブルＴ３は、管理者によって設定された、上記設定値を管理者によって設定するか、もしくはユーザによって設定するかの設定者選択設定の設定値を含む。制御手段１は、第３のテーブルＴ３において上記設定値を管理者によって設定する設定者選択設定の設定値が格納されているときは、第１のテーブル内Ｔ１の設定値に従って動作する一方、第３のテーブルＴ３において上記設定値をユーザによって設定する設定者選択設定の設定値が格納されているときは、第２のテーブルＴ２内の設定項目の設定値に従って動作する。【選択図】図３
2009271583.tif 000002
【特許請求の範囲】
【請求項１】
記憶手段によって記憶された所定の設定項目の設定値に従って動作する制御手段を備えた通信端末装置において、
上記記憶手段は、上記通信端末装置の管理者によって設定された上記設定項目の設定値を含む第１のテーブルと、上記通信端末装置の管理者以外のユーザによって設定された上記設定項目の設定値を含む第２のテーブルとを格納し、
上記制御手段は、
上記管理者の管理者装置から受信される所定の要求信号に応答して、上記設定項目の設定値を上記管理者によって設定するか、もしくは上記ユーザによって設定するかの設定者選択設定の設定値の指示画面を含む応答信号を上記管理者装置に送信し、
上記管理者装置から受信される、上記設定者選択設定の設定値を含む要求信号に応答して、受信された上記設定者選択設定の設定値を上記記憶手段に格納し、
上記記憶手段において上記設定項目の設定値を上記管理者によって設定する設定値が格納されているときは、上記第１のテーブル内の設定項目の設定値に従って動作する一方、上記記憶手段において上記設定項目の設定値を上記ユーザによって設定する設定値が格納されているときは、上記第２のテーブル内の設定項目の設定値に従って動作することを特徴とする通信端末装置。
【請求項２】
上記制御手段は、上記ユーザのユーザ装置から受信される所定の設定開始の要求信号に応答して、上記記憶手段に格納された上記設定者選択設定の設定値が上記設定項目の設定値を上記ユーザによって設定することであるときは、（ａ）上記第１のテーブル内の設定項目の設定値を上記第２のテーブルに格納する第１のユーザ設定方法と、（ｂ）上記第１のテーブル内の設定項目の設定値を上記第２のテーブル内の設定項目の設定値の初期値に設定し、当該初期値から所定の設定値に変更して入力可能な第２のユーザ設定方法と、（ｃ）上記第１のテーブル内の設定項目の設定値を表示して参照可能な状態で上記第２のテーブル内の設定項目の設定値を入力可能な第３のユーザ設定方法とのうちの少なくとも１つのユーザ設定方法の中からどのユーザ設定方法を用いるかを入力可能なユーザ設定方法の指示画面を含む応答信号を、上記ユーザ装置に送信し、
上記ユーザ装置から受信される、上記第１のユーザ設定方法を選択することを指示する要求信号に応答して、上記第１のテーブル内の設定項目の設定値を上記第２のテーブルに格納し、
上記ユーザ装置から受信される、上記第２のユーザ設定方法を選択することを指示する要求信号に応答して、上記第１のテーブル内の設定項目の設定値を上記第２のテーブル内の設定項目の設定値の初期値として表示し、当該初期値から所定の設定値に変更して入力可能に構成された第１のユーザ設定指示画面を含む応答信号を上記ユーザ装置に送信し、上記入力された設定値を含む要求信号を上記ユーザ装置から受信し、上記受信された設定値を上記第２のテーブルに格納し、
上記ユーザ装置から受信される、上記第３のユーザ設定方法を選択することを指示する要求信号に応答して、上記第１のテーブル内の設定項目の設定値を表示する参照画面及び上記第２のテーブル内の設定項目の設定値を入力可能に構成された第２のユーザ設定指示画面を表示する参照画面を含む応答信号を上記ユーザ装置に送信し、上記入力された設定値を含む要求信号を上記ユーザ装置から受信し、上記受信された設定値を上記第２のテーブルに格納することを特徴とする請求項１記載の通信端末装置。
【請求項３】
上記制御手段は、上記ユーザのユーザ装置から受信される所定の設定開始の要求信号に応答して、上記記憶手段に格納された上記設定者選択設定の設定値が上記設定項目の設定値を上記ユーザによって設定することであるときは、上記第１のテーブル内の設定項目の設定値を上記第２のテーブル内の設定項目の設定値の初期値として表示し、当該初期値から所定の設定値に変更して入力可能に構成された第１のユーザ設定指示画面を含む応答信号を上記ユーザ装置に送信し、上記入力された設定値を含む要求信号を上記ユーザ装置から受信し、上記受信された設定値を上記第２のテーブルに格納することを特徴とする請求項１記載の通信端末装置。
【請求項４】
上記制御手段は、上記ユーザのユーザ装置から受信される所定の設定開始の要求信号に応答して、上記記憶手段に格納された上記設定者選択設定の設定値が上記設定項目の設定値を上記ユーザによって設定することであるときは、上記第１のテーブル内の設定項目の設定値を表示する参照画面及び上記第２のテーブル内の設定項目の設定値を入力可能に構成された第２のユーザ設定指示画面を表示する参照画面を含む応答信号を上記ユーザ装置に送信し、上記入力された設定値を含む要求信号を上記ユーザ装置から受信し、上記受信された設定値を上記第２のテーブルに格納することを特徴とする請求項１記載の通信端末装置。
【請求項５】
上記管理者装置は、上記管理者装置に代えて設けられ、上記応答信号に含まれる画面を表示する表示手段と、上記設定値を入力する操作手段とを備えた制御手段であって、上記通信端末装置の制御手段であることを特徴とする請求項１記載の通信端末装置。
【請求項６】
上記ユーザ装置は、上記ユーザ装置に代えて設けられ、上記応答信号に含まれる画面を表示する表示手段と、上記設定値を入力する操作手段とを備えた制御手段であって、上記通信端末装置の制御手段であることを特徴とする請求項２から４までのうちのいずれか１つの請求項記載の通信端末装置。
【発明の詳細な説明】
【技術分野】
【０００１】
本発明は、例えば、デジタル複合機、電話機、データ通信装置、サーバ装置及びインターネットファクシミリ装置などの、所定の設定項目の設定値に従って動作する通信端末装置に関する。
【背景技術】
【０００２】
ゲートウェイ装置又はインターネットファクシミリ装置などの従来技術に係る通信端末装置は、所定の設定項目の設定値に従って動作する。例えば、各クライアント装置から受信した平文電子メールに対して暗号化処理及び電子署名処理などの所定の処理を行い、処理後の電子メールをメールサーバ装置に送信できるように構成されたゲートウェイ装置が知られている。このようなゲートウェイ装置は、例えば、添付ファイルを有する電子メールに対して電子署名処理を行うか否かの設定などの、複数の設定項目の設定値に従って動作する。
【０００３】
特許文献１においては、「コンピュータシステムで使用者の利便のために表示されるメニュー画面をカスタマイズするメニューカスタマイズ方法であって、所定のキー操作に応じて設定メニューを表示し、設定メニューへの入力に応じて前記メニュー画面の表示状態を変更し、設定メニューを介する前記メニュー画面の表示状態の変更に際して、外部ファイルのデータも利用しうることを特徴とするメニューカスタマイズ方法」が開示されている。
【０００４】
また、特許文献２においては、「画像形成ジョブの実行要求に応じて画像の処理を行う画像処理装置であって、要求された画像形成ジョブを実行できない異常状態にあることを判断する異常状態判断手段と、当該異常状態に対応するための複数の処理の中から、全ての画像形成ジョブに対する共通処理の選択入力を受け付ける第１の受付手段と、前記複数の処理の中から、画像形成ジョブに対する処理の選択入力を画像形成ジョブ毎に受け付ける第２の受付手段と、前記複数の処理について優先順位の設定入力を受け付ける優先順位受付手段とを備えることを特徴とする画像処理装置」が開示されている。
【０００５】
さらに、特許文献３においては、「端末装置と通信ネットワークを介して接続され、端末装置から機器に関する設定の登録・変更を行うことが可能な複合端末装置であって、
端末装置のログイン画面に設定登録・変更指示手段を設け、当該設定登録・変更指示手段により機器の設定に関する登録・変更が指示された場合、機器の設定に関する複数の登録画面を順次表示する制御手段を備えたことを特徴とする複合端末装置」が開示されている。
【０００６】
【特許文献１】特開２０００−３４７７８０号公報。
【特許文献２】特開２００１−２４３０３５号公報。
【特許文献３】特開２００６−２０３６２６号公報。
【発明の開示】
【発明が解決しようとする課題】
【０００７】
従来技術に係る通信端末装置は、所定の複数の設定項目の設定値に従って動作する。ここで、一般に、上記複数の設定項目は、通信端末装置の管理者又はユーザのどちらによって設定されてもよい設定項目を含むが、従来技術に係る通信端末装置において、管理者又はユーザのいずれか一方しか当該設定項目を設定できなかった。従って、従来技術に係る通信端末装置が、当該設定項目の設定者を管理者に設定しているときは、当該設定項目の設定者をユーザに設定したい顧客の要求を満足できなかった。逆に、従来技術に係る通信端末装置が、当該設定項目の設定者をユーザに設定しているときは、当該設定項目の設定者を管理者に設定したい顧客の要求を満足できなかった。
【０００８】
本発明の目的は以上の問題点を解決し、所定の設定項目の設定値に従って動作する通信端末装置において、当該設定項目の設定値の設定者を顧客の要求に応じて設定できる、従来技術に比較して高い利便性を有する通信端末装置を提供することにある。
【課題を解決するための手段】
【０００９】
本発明に係る通信端末装置は、
記憶手段によって記憶された所定の設定項目の設定値に従って動作する制御手段を備えた通信端末装置において、
上記記憶手段は、上記通信端末装置の管理者によって設定された上記設定項目の設定値を含む第１のテーブルと、上記通信端末装置の管理者以外のユーザによって設定された上記設定項目の設定値を含む第２のテーブルとを格納し、
上記制御手段は、
上記管理者の管理者装置から受信される所定の要求信号に応答して、上記設定項目の設定値を上記管理者によって設定するか、もしくは上記ユーザによって設定するかの設定者選択設定の設定値の指示画面を含む応答信号を上記管理者装置に送信し、
上記管理者装置から受信される、上記設定者選択設定の設定値を含む要求信号に応答して、受信された上記設定者選択設定の設定値を上記記憶手段に格納し、
上記記憶手段において上記設定項目の設定値を上記管理者によって設定する設定値が格納されているときは、上記第１のテーブル内の設定項目の設定値に従って動作する一方、上記記憶手段において上記設定項目の設定値を上記ユーザによって設定する設定値が格納されているときは、上記第２のテーブル内の設定項目の設定値に従って動作することを特徴とする。
【００１０】
上記通信端末装置において、上記制御手段は、上記ユーザのユーザ装置から受信される所定の設定開始の要求信号に応答して、上記記憶手段に格納された上記設定者選択設定の設定値が上記設定項目の設定値を上記ユーザによって設定することであるときは、（ａ）上記第１のテーブル内の設定項目の設定値を上記第２のテーブルに格納する第１のユーザ設定方法と、（ｂ）上記第１のテーブル内の設定項目の設定値を上記第２のテーブル内の設定項目の設定値の初期値に設定し、当該初期値から所定の設定値に変更して入力可能な第２のユーザ設定方法と、（ｃ）上記第１のテーブル内の設定項目の設定値を表示して参照可能な状態で上記第２のテーブル内の設定項目の設定値を入力可能な第３のユーザ設定方法とのうちの少なくとも１つのユーザ設定方法の中からどのユーザ設定方法を用いるかを入力可能なユーザ設定方法の指示画面を含む応答信号を、上記ユーザ装置に送信し、
上記ユーザ装置から受信される、上記第１のユーザ設定方法を選択することを指示する要求信号に応答して、上記第１のテーブル内の設定項目の設定値を上記第２のテーブルに格納し、
上記ユーザ装置から受信される、上記第２のユーザ設定方法を選択することを指示する要求信号に応答して、上記第１のテーブル内の設定項目の設定値を上記第２のテーブル内の設定項目の設定値の初期値として表示し、当該初期値から所定の設定値に変更して入力可能に構成された第１のユーザ設定指示画面を含む応答信号を上記ユーザ装置に送信し、上記入力された設定値を含む要求信号を上記ユーザ装置から受信し、上記受信された設定値を上記第２のテーブルに格納し、
上記ユーザ装置から受信される、上記第３のユーザ設定方法を選択することを指示する要求信号に応答して、上記第１のテーブル内の設定項目の設定値を表示する参照画面及び上記第２のテーブル内の設定項目の設定値を入力可能に構成された第２のユーザ設定指示画面を表示する参照画面を含む応答信号を上記ユーザ装置に送信し、上記入力された設定値を含む要求信号を上記ユーザ装置から受信し、上記受信された設定値を上記第２のテーブルに格納することを特徴とする。
【００１１】
また、上記通信端末装置において、上記制御手段は、上記ユーザのユーザ装置から受信される所定の設定開始の要求信号に応答して、上記記憶手段に格納された上記設定者選択設定の設定値が上記設定項目の設定値を上記ユーザによって設定することであるときは、上記第１のテーブル内の設定項目の設定値を上記第２のテーブル内の設定項目の設定値の初期値として表示し、当該初期値から所定の設定値に変更して入力可能に構成された第１のユーザ設定指示画面を含む応答信号を上記ユーザ装置に送信し、上記入力された設定値を含む要求信号を上記ユーザ装置から受信し、上記受信された設定値を上記第２のテーブルに格納することを特徴とする。
【００１２】
さらに、上記通信端末装置において上記制御手段は、上記ユーザのユーザ装置から受信される所定の設定開始の要求信号に応答して、上記記憶手段に格納された上記設定者選択設定の設定値が上記設定項目の設定値を上記ユーザによって設定することであるときは、上記第１のテーブル内の設定項目の設定値を表示する参照画面及び上記第２のテーブル内の設定項目の設定値を入力可能に構成された第２のユーザ設定指示画面を表示する参照画面を含む応答信号を上記ユーザ装置に送信し、上記入力された設定値を含む要求信号を上記ユーザ装置から受信し、上記受信された設定値を上記第２のテーブルに格納することを特徴とする。
【００１３】
またさらに、上記通信端末装置において、上記管理者装置は、上記管理者装置に代えて設けられ、上記応答信号に含まれる画面を表示する表示手段と、上記設定値を入力する操作手段とを備えた制御手段であって、上記通信端末装置の制御手段であることを特徴とする。
【００１４】
また、上記通信端末装置において、上記ユーザ装置は、上記ユーザ装置に代えて設けられ、上記応答信号に含まれる画面を表示する表示手段と、上記設定値を入力する操作手段とを備えた制御手段であって、上記通信端末装置の制御手段であることを特徴とする。
【発明の効果】
【００１５】
本発明に係る通信端末装置によれば、記憶手段は、通信端末装置の管理者によって設定された設定項目の設定値を含む第１のテーブルと、当該通信端末装置の管理者以外のユーザによって設定された上記設定項目の設定値を含む第２のテーブルとを格納し、上記制御手段は、上記管理者の管理者装置から受信される、上記設定項目の設定値を管理者によって設定するか、もしくはユーザによって設定するかの設定者選択設定の設定値を含む要求信号に応答して、受信された上記設定者選択設定の設定値を上記記憶手段に格納する。従って、顧客の要求に応じて上記設定項目の設定値の設定者を管理者及びユーザのいずれかに設定でき、従来技術に比較して高い利便性を有する通信端末装置を提供できる。
【発明を実施するための最良の形態】
【００１６】
以下、本発明に係る実施形態について図面を参照して説明する。なお、以下の実施形態において、同様の構成要素については同一の符号を付している。
【００１７】
図１は、本発明の一実施形態であるＳ／ＭＩＭＥ（Secure/Multipurpose Internet Mail Extensions）を用いて電子メールを送受信する機能及びウェブサーバ（ＷＷＷサーバともいう。）機能を有するＳ／ＭＩＭＥゲートウェイ装置２０を備えたローカルエリアネットワーク（Local Area Network：以下、ＬＡＮという。）システムの構成を示すブロック図である。
【００１８】
この実施形態に係るＬＡＮシステムは、複数Ｎ台のクライアントパーソナルコンピュータ３０−１〜３０−Ｎ（以下、総称して符号３０を付す。）と、Ｓ／ＭＩＭＥゲートウェイ装置２０と、ルータ装置６０と、インターネット９０に接続されたメールサーバ装置４０とがＬＡＮ７０を介して接続されて構成されてなる。図２から図４はそれぞれ、図１のクライアントパーソナルコンピュータ３０、Ｓ／ＭＩＭＥゲートウェイ装置２０及びメールサーバ装置４０の構成を示すブロック図である。
【００１９】
各クライアントパーソナルコンピュータ３０は、Ｓ／ＭＩＭＥゲートウェイ装置２０及びルータ装置６０を介してメールサーバ装置４０に接続することにより、電子メールをＳ／ＭＩＭＥを用いて電子署名及び暗号化して送受信できるように構成されている。
【００２０】
ここで、図３に示すように、Ｓ／ＭＩＭＥゲートウェイ装置２０は、ＲＡＭ７によって記憶された所定の設定項目Ｂ１〜Ｂ４の各設定値に従って動作する主制御部１を備えたＳ／ＭＩＭＥゲートウェイ装置２０において、ＲＡＭ７における管理者設定メモリ２は、Ｓ／ＭＩＭＥゲートウェイ装置２０の管理者によって設定された上記設定項目Ｂ１〜Ｂ４の各設定値を含む第１のテーブルＴ１を格納し、ユーザ設定メモリ３はＳ／ＭＩＭＥゲートウェイ装置２０の管理者以外のユーザによって設定された上記設定項目Ｂ１〜Ｂ４の各設定値を含む第２のテーブルＴ２とを格納したことを特徴としている。さらに、上記主制御部１は、管理者によって操作されているクライアントパーソナルコンピュータ３０である管理者装置から受信される設定開始コマンドを含むＨＴＴＰ要求メッセージ（図５のステップＳ１１）に応答して、所定の設定項目Ｂ１〜Ｂ４の各設定値を管理者によって設定するか、もしくはユーザによって設定するかの設定者選択設定（設定項目Ａ１）の設定値の指示画面を含むＨＴＴＰ応答メッセージを上記管理者装置に送信し（図６のステップＳ２１）、上記管理者装置から受信される、上記設定者選択設定の設定値を含むＨＴＴＰ要求メッセージ（図６のステップＳ２２）に応答して、受信された上記設定者選択設定の設定値をＲＡＭ７における管理者設定メモリ２の第３のテーブルＴ３に格納する（図６のステップＳ２３）。また、主制御部１は、上記第３のテーブルＴ３において上記設定項目Ｂ１〜Ｂ４の各設定値を管理者によって設定する設定値が格納されているときは、上記第１のテーブルＴ１内の設定項目Ｂ１〜Ｂ４の各設定値に従って動作する一方、上記第３のテーブルＴ３において上記設定項目Ｂ１〜Ｂ４の各設定値をユーザによって設定する設定値が格納されているときは、上記第２のテーブルＴ２内の設定項目Ｂ１〜Ｂ４の各設定値に従って動作する。
【００２１】
次に、図２を参照して、クライアントパーソナルコンピュータ３０の構成を説明する。
【００２２】
図２において、クライアントパーソナルコンピュータ３０は、公知のパーソナルコンピュータであって、平文電子メール、画像データ及び文字データの生成、記録、格納、送信及び受信などの処理を実行する。本実施形態においては、クライアントパーソナルコンピュータ３０は、生成された平文電子メールをＳ／ＭＩＭＥゲートウェイ装置２０に対して送信し又は受信するユーザの端末装置として用いられる。クライアントパーソナルコンピュータ３０の電子メール送受信用のプログラムは、予めクライアントパーソナルコンピュータ３０のハードディスクドライブ１０８に格納される。当該電子メール送受信用のプログラムは、電子メールの作成及びＳ／ＭＩＭＥゲートウェイ装置２０を介する電子メールの送受信を行うための公知の制御プログラムである。クライアントパーソナルコンピュータ３０の電子メール送受信機能において、生成された平文電子メールは、Ｓ／ＭＩＭＥゲートウェイ装置２０に対して送信される。また、クライアントパーソナルコンピュータ３０は、電子メールの受信を要求する第１のメール受信要求コマンドをＳ／ＭＩＭＥゲートウェイ装置２０に対して送信し、これに応答してＳ／ＭＩＭＥゲートウェイ装置２０から送信される平文電子メールを受信する。なお、第１のメール受信要求コマンドは、所定の時間間隔毎に、あるいはクライアントパーソナルコンピュータ３０のユーザによって操作部１０５を介して入力される電子メール受信を指示する所定の指示コマンドに従って、発生される。
【００２３】
また、クライアントパーソナルコンピュータ３０は、ブラウザ機能をさらに有し、Ｓ／ＭＩＭＥゲートウェイ装置２０に対するウエブクライアント（ウェブブラウザ又はＷＷＷブラウザともいう。）装置としても用いられる。すなわち、クライアントパーソナルコンピュータ３０は、所定の指示コマンド及びデータを含むＨＴＴＰ（HyperText Transfer Protocol）要求メッセージをＳ／ＭＩＭＥゲートウェイ装置２０に対して送信し、ＨＴＴＰ応答メッセージをＳ／ＭＩＭＥゲートウェイ装置２０から受信できるように構成されている。また、Ｓ／ＭＩＭＥゲートウェイ装置２０のユーザ及び管理者は、クライアントパーソナルコンピュータ３０においてブラウザを起動し、表示部１０４に表示されたブラウザ画面において、Ｓ／ＭＩＭＥゲートウェイ装置２０のＩＰアドレスを指定して当該Ｓ／ＭＩＭＥゲートウェイ装置２０にログインできる。
【００２４】
主制御部１０１は具体的にはＣＰＵ（Central Processing Unit）で構成されており、バス１１３を介して以下のハードウェア各部と接続されていてそれらを制御するほか、種々のソフトウェアの機能を実行する。表示部１０４は、液晶表示装置（ＬＣＤ（Liquid Crystal Display））又はＣＲＴ（Cathode Ray Tube）ディスプレイなどの表示装置であり、当該クライアントパーソナルコンピュータ３０の動作状態の表示及び、送信すべき電子メール及び受信された電子メールの表示を行う。操作部１０５は、例えばキーボードであり、文字データ及び電子メールを受信するための指示コマンドなどを入力するためのものである。
【００２５】
ＲＯＭ（Read Only Memory）１０６は、当該クライアントパーソナルコンピュータ３０の動作に必要であって主制御部１０１によって実行される種々のソフトウェアのプログラムを予め格納する。また、ＲＡＭ（Random Access Memory）１０７は、ＳＲＡＭ（Static RAM）、ＤＲＡＭ（Dynamic RAM）、ＳＤＲＡＭ（Synchronous DRAM）などで構成され、主制御部１０１のワーキングエリアとして使用されてプログラムの実行時に発生する一時的なデータを記憶する。さらに、ハードディスクドライブ１０８は、記録媒体を内蔵する記憶装置であり、実行するアプリケーションプログラム及び画像メモリを格納する。本実施形態では、ハードディスクドライブ１０８は、上述のように、クライアントパーソナルコンピュータ３０の電子メール送受信用のプログラム及びブラウザプログラムを格納している。さらに、ＬＡＮインターフェース１１２は、ＬＡＮ７０に接続され、ＬＡＮ７０からの信号及びデータを受信する一方、ＬＡＮ７０に対して信号及びデータを送信して信号変換及びプロトコル変換などのＬＡＮ通信に係るインターフェース処理を実行する。
【００２６】
次に、図３を参照して、Ｓ／ＭＩＭＥゲートウェイ装置２０の構成を説明する。
【００２７】
Ｓ／ＭＩＭＥゲートウェイ装置２０は、当該Ｓ／ＭＩＭＥゲートウェイ装置２０に登録されたユーザの電子メールをＳ／ＭＩＭＥを用いて送受信する電子メール送受信機能及びウェブサーバ機能を有する。
【００２８】
Ｓ／ＭＩＭＥゲートウェイ装置２０の電子メール送受信機能において、主制御部１は、設定項目Ａ１〜Ａ６を含む第１の設定項目群と設定項目Ｂ１〜Ｂ４を含む第２の設定項目群の各設定値とに従って電子メール送受信処理を行う。
【００２９】
ここで、第１の設定項目群は、Ｓ／ＭＩＭＥゲートウェイ装置２０の管理者（以下、管理者という。）によって設定される、電子メールの送受信処理に関する以下の設定項目Ａ１〜Ａ６を含む。
Ａ１：設定項目Ｂ１〜Ｂ４の各設定値を管理者によって設定するか、もしくはＳ／ＭＩＭＥゲートウェイ装置２０の各ユーザによって設定するかの選択者設定。
Ａ２：管理者用の電子メールアドレス。
Ａ３：署名付きの電子メールに証明書を追加するか否か。
Ａ４：暗号アルゴリズム。
Ａ５：クリア署名するか否か。
Ａ６：メールサーバ装置４０に対して新着電子メールの有無を定期的に確認するか否か及び確認する場合の確認時間間隔。
【００３０】
また、第２の設定項目群は、管理者もしくは各ユーザによって設定される、ユーザからの電子メールの送信処理に関する以下の設定項目Ｂ１〜Ｂ４を含む。
Ｂ１：Ｓ／ＭＩＭＥのデフォルトは、署名と暗号化、暗号化、署名及び平文のいずれであるか。
Ｂ２：キーワードルールを使用するか否か及び当該キーワードルールの詳細設定。
Ｂ３：添付ファイルルールを使用するか否か及び当該添付ファイルルールの詳細設定。
Ｂ４：ヘッダールールを使用するか否か及び当該ヘッダールールの詳細設定。
【００３１】
管理者によって設定された設定項目Ａ１〜Ａ６の各設定値を含む第３のテーブルＴ３及び管理者によって設定された設定項目Ｂ１〜Ｂ４の各設定値を含む第１のテーブルＴ１は、それぞれ管理者設定メモリ２に格納される。また、複数Ｍ人のユーザによってそれぞれ設定された設定項目Ｂ１〜Ｂ４の各設定値を含む第２のテーブルＴ２−１，Ｔ２−２，…，Ｔ２−Ｍ（以下、総称して符号Ｔ２を付す。）は、ユーザ毎にユーザ設定メモリ３に格納される。
【００３２】
Ｓ／ＭＩＭＥゲートウェイ装置２０の電子メール送受信機能において、まず、管理者設定メモリ２の第３のテーブルＴ３から設定項目Ａ１の設定値が読み出される。そして、設定項目Ａ１の設定値が「設定項目Ｂ１〜Ｂ４の設定値を管理者によって設定する」ことであるときは、管理者設定メモリ２に格納された設定項目Ａ１〜Ａ６及び設定項目Ｂ１〜Ｂ４の各設定値に従って、以下の電子メール送受信処理が行われる。一方、設定項目Ａ１の設定値が「設定項目Ｂ１〜Ｂ４の設定値をユーザによって設定する」ことであるときは、管理者設定メモリ２に格納された設定項目Ａ１〜Ａ６の各設定値及びユーザ設定メモリ３に格納された設定項目Ｂ１〜Ｂ４の各設定値に従って、以下の電子メール送受信処理が行われる。
【００３３】
Ｓ／ＭＩＭＥゲートウェイ装置２０による電子メールの送受信は、以下のようにして行われる。各クライアントパーソナルコンピュータ３０から受信された平文電子メールは、Ｓ／ＭＩＭＥに従ってソフトウェアにより電子署名処理及び／又は暗号化処理がされた後、メールサーバ装置４０に送信される。また、後述するタイマ回路５からの制御信号に応答して、Ｓ／ＭＩＭＥゲートウェイ装置２０に登録されたユーザ（クライアントパーソナルコンピュータ３０のユーザである。）宛ての電子メールの送信を要求する第２のメール受信要求コマンドが生成されて、メールサーバ装置４０に対して送信される。これに応答してメールサーバ装置４０から受信された電子署名付き暗号化電子メールは、Ｓ／ＭＩＭＥに従ってソフトウェアにより復号化処理及び電子署名検証処理がされて平文電子メールに変換された後、ハードディスクドライブ９内のメールボックス８に格納される。さらに、メールボックス８に格納された電子メールは、各クライアントパーソナルコンピュータ３０からの第１のメール受信要求コマンドに応答して、各クライアントパーソナルコンピュータ３０に配信される。すなわち、Ｓ／ＭＩＭＥゲートウェイ装置２０は、各クライアントパーソナルコンピュータ３０に対するＳＭＴＰ（Simple Mail Transfer Protocol）サーバ装置及びＰＯＰ３（Post Office Protocol Ver.3）サーバ装置として機能するとともに、メールサーバ装置４０に対するＳＭＴＰクライアント装置及びＰＯＰ３クライアント装置として機能する。
【００３４】
また、Ｓ／ＭＩＭＥゲートウェイ装置２０のウェブサーバ機能において、Ｓ／ＭＩＭＥゲートウェイ装置２０は、クライアントパーソナルコンピュータ３０から送信された所定の制御コマンド及びデータを含むＨＴＴＰ要求メッセージに応答して、上記所定の制御コマンドに従って動作する。さらに、上記ＨＴＴＰ要求メッセージに対するＨＴＴＰ応答メッセージを、クライアントパーソナルコンピュータ３０に送信する。
【００３５】
Ｓ／ＭＩＭＥゲートウェイ装置２０において、主制御部１は具体的にはＣＰＵで構成されており、バス１３を介して以下のハードウェア各部と接続されていてそれらを制御するほか、後述する種々のソフトウェアの機能を実行する。ＲＯＭ６は、当該Ｓ／ＭＩＭＥゲートウェイ装置２０の動作に必要であって主制御部１によって実行される種々のソフトウェアのプログラムを予め格納する。
【００３６】
ＲＡＭ７は、ＳＲＡＭ、ＤＲＡＭ、ＳＤＲＡＭ等で構成され、主制御部１のワーキングエリアとして使用されてプログラムの実行時に発生する一時的なデータを記憶する。なお、ＲＡＭ７としてフラッシュメモリを使用した場合には、停電、装置の移動等のために電源が遮断された場合にもそのデータの内容が失われない。なお、ＲＡＭ７は、メールボックス８と、管理者によって設定された設定項目Ａ１〜Ａ６及び設定項目Ｂ１〜Ｂ４の各設定値を格納する管理者設定メモリ２と、各ユーザによって設定された設定項目Ｂ１〜Ｂ４の各設定値を格納するユーザ設定メモリ３とを含む。
【００３７】
さらに、ハードディスクドライブ９は、記録媒体を内蔵する記憶装置であり、種々のデータ及びプログラムを格納し、本実施形態では、少なくとも、Ｓ／ＭＩＭＥゲートウェイ装置２０のＳ／ＭＩＭＥを用いる上述した電子メール送受信処理のプログラム、後述する電子メール送受信設定処理（図５）、管理者用電子メール送受信設定処理（図６）及びユーザ用電子メール送受信設定処理（図７及び図８）の各プログラム及びＨＴＴＰＤ（HTTP Daemon）を含む。また、ＬＡＮインターフェース１２は、ＬＡＮ７０に接続され、ＬＡＮ７０からの信号及びデータを受信する一方、ＬＡＮ７０に対して信号及びデータを送信して信号変換及びプロトコル変換などのＬＡＮ通信に係るインターフェース処理を実行する。また、タイマ回路５は、所定のタイムアップ時間毎に第２のメール受信要求コマンドを発生するために用いられ、リセットされてから所定のタイムアップ時間（上記設定項目Ａ６によって設定され、例えば、５分である。）が経過したとき、当該タイムアップを示す制御信号を主制御部１に送信する。さらに、表示部１０は、液晶表示装置（ＬＣＤ）又はＣＲＴディスプレイなどの表示装置であり、当該Ｓ／ＭＩＭＥゲートウェイ装置２０の動作状態の表示などを行う。操作部１０５は、例えばキーボード又はマウスであり、文字データ及び指示コマンドなどを入力するためのものである。
【００３８】
次に、図４を参照して、メールサーバ装置４０の構成を説明する。
【００３９】
図４において、メールサーバ装置４０は、公知のメールサーバ装置であって、電子メールの送受信処理を実行する。メールサーバ装置４０は、Ｓ／ＭＩＭＥゲートウェイ装置２０からの電子署名付き暗号化電子メールを、インターネット９０を介して相手先のメールサーバ装置（図示しない。）に送信する。また、メールサーバ装置４０は、相手先のメールサーバ装置からの電子署名付き暗号化電子メールをハードディスクドライブ４０８内のメールボックス４０２に格納する。さらに、Ｓ／ＭＩＭＥゲートウェイ装置４０からの第２のメール受信要求コマンドに応答して、Ｓ／ＭＩＭＥゲートウェイ装置２０に登録されたユーザ宛ての電子メールを、Ｓ／ＭＩＭＥゲートウェイ装置４０に送信する。メールサーバ装置４０の電子メール送受信用のプログラムは、予めハードディスクドライブ４０８に格納される。当該電子メール送受信用のプログラムは、Ｓ／ＭＩＭＥゲートウェイ装置２０との間で電子署名付き暗号化電子メールの送受信を行うための公知の制御プログラムである。
【００４０】
主制御部１０１は具体的にはＣＰＵで構成されており、バス４１３を介して以下のハードウェア各部と接続されていてそれらを制御するほか、種々のソフトウェアの機能を実行する。表示部１０４は、液晶表示装置（ＬＣＤ）又はＣＲＴディスプレイなどの表示装置であり、メールサーバ装置４０の動作状態の表示を行う。操作部４０５は、例えばキーボードであり、文字データ及び指示コマンドを入力するためのものである。
【００４１】
ＲＯＭ４０６は、当該メールサーバ装置４０の動作に必要であって主制御部４０１によって実行される種々のソフトウェアのプログラムを予め格納する。また、ＲＡＭ４０７は、ＳＲＡＭ、ＤＲＡＭ、ＳＤＲＡＭなどで構成され、主制御部４０１のワーキングエリアとして使用されてプログラムの実行時に発生する一時的なデータを記憶する。さらに、ハードディスクドライブ４０８は、記録媒体を内蔵する記憶装置であり、実行するアプリケーションプログラム及び画像メモリを格納する。本実施形態では、ハードディスクドライブ４０８は、上述のように、電子メール送受信用のプログラムを格納している。さらに、インターフェース４１４は、インターネット９０に接続され、インターネット９０からの信号及びデータを受信する一方、インターネット９０に対して信号及びデータを送信して信号変換及びプロトコル変換などのインターネット通信に係るインターフェース処理を実行する。また、ＬＡＮインターフェース４１２は、ＬＡＮ７０に接続され、ＬＡＮ７０からの信号及びデータを受信する一方、ＬＡＮ７０に対して信号及びデータを送信して信号変換及びプロトコル変換などのＬＡＮ通信に係るインターフェース処理を実行する。
【００４２】
次に図５〜図８を用いて、Ｓ／ＭＩＭＥゲートウェイ装置２０の主制御部１によって実行される、電子メール送受信設定処理を説明する。
【００４３】
図５は、図３のＳ／ＭＩＭＥゲートウェイ装置２０の主制御部１によって実行される、電子メール送受信設定処理を示すフローチャートである。図５において、まず、ステップＳ１１において、電子メール送受信設定の開始を要求する設定開始コマンドを含むＨＴＴＰ要求メッセージを受信したか否かが判断される。ここで、設定開始コマンドは、当該コマンドの送信者のユーザＩＤを含む。本実施形態において、Ｓ／ＭＩＭＥゲートウェイ装置２０の管理者のユーザＩＤは「admin」であり、管理者以外のユーザのＩＤは「ｕｓｅｒ１」等の英数字を組み合わせた文字列である。ステップＳ１１においてＹＥＳのときはステップＳ１２に進む一方、ＮＯのときはステップＳ１１の処理を繰り返す。次いで、ステップＳ１２において、上記送信者のユーザＩＤに基づいて、上記設定開始コマンドを含むＨＴＴＰ要求メッセージの送信者が管理者か否かが判断され、ＹＥＳのときはステップＳ１３の管理者用電子メール送受信設定処理に進み、電子メール送受信設定処理を終了する。一方、設定開始コマンドを含むＨＴＴＰ要求メッセージの送信者が管理者以外のユーザであり、ステップＳ１２においてＮＯのときはステップＳ１４のユーザ用電子メール送受信設定処理に進み、電子メール送受信設定処理を終了する。
【００４４】
図６は、図３のＳ／ＭＩＭＥゲートウェイ装置２０の主制御部１によって実行される、管理者用電子メール送受信設定処理を示すフローチャートである。図６において、まず、ステップＳ２１において、管理者用の電子メール送受信設定の指示画面（例えば、図９の表示例５０１）を含むＨＴＴＰ応答メッセージを、クライアントパーソナルコンピュータ３０に送信する。これにより、管理者装置であるクライアントパーソナルコンピュータ３０の表示部１０４に、例えば、図９の表示例５０１に示すような、管理者用の電子メール送受信設定の指示画面が表示される。図９の表示例５０１は、管理者設定の設定画面であって、設定項目Ａ１〜Ａ６及び設定項目Ｂ１〜Ｂ４をそれぞれ設定するための設定部５０２−１〜５０２−６及び５０３−１〜５０３−４と、保存ボタン５０４、リセットボタンなどの指示部とを含んでいる。特に、設定部５０２−１は、設定項目Ｂ１〜Ｂ４の各設定値を、管理者によって設定するか、もしくはユーザによって設定するかの設定者選択設定（設定項目Ａ１である。）の指示部である。管理者は、管理者装置であるクライアントパーソナルコンピュータ３０の操作部１０５を用いて、表示例５０１の設定部５０２−１〜５０２−６及び５０３−１〜５０３−４に設定項目Ａ１〜Ａ６及び設定項目Ｂ１〜Ｂ４の各設定値を入力し、保存ボタン５０４をクリックすることにより当該入力結果の各設定値を含むＨＴＴＰ要求メッセージをＳ／ＭＩＭＥゲートウェイ装置２０に対して送信可能である。
【００４５】
次いで、ステップＳ２２において入力された設定項目Ａ１〜Ａ６及び設定項目Ｂ１〜Ｂ４の各設定値を含むＨＴＴＰ要求メッセージが受信されたか否かが判断される。ステップＳ２２においてＹＥＳのときはステップＳ２３に進み、受信された設定項目Ａ１〜Ａ６の各設定値を第３のテーブルＴ３に格納し、受信された設定項目Ｂ１〜Ｂ４の各設定値を第１のテーブルＴ１に格納し、図５の電子メール送受信設定処理に戻る。一方、ステップＳ２３においてＮＯのときはステップＳ２４に進み、その他の処理を指示するＨＴＴＰ要求メッセージを受信したか否かが判断される。ステップＳ２４においてＮＯのときはステップＳ２２に戻る一方、ＹＥＳのときは、ステップＳ２５において所定の処理を実行した後、ステップＳ２２に戻る。
【００４６】
図７及び図８は、図３のＳ／ＭＩＭＥゲートウェイ装置２０の主制御部１によって実行される、ユーザ用電子メール送受信設定処理を示すフローチャートである。
【００４７】
図７において、まず、ステップＳ３１において、管理者設定メモリ２に格納された第３のテーブルＴ３のテーブルから設定項目Ａ１〜Ａ６の各設定値が読み出され、第１のテーブルＴ１から設定項目Ｂ１〜Ｂ４の各設定値が読み出され、ステップＳ３２に進む。ステップＳ３２において、読み出された設定項目Ａ１の設定値が「設定項目Ｂ１〜Ｂ４の設定値を管理者によって設定する」ことであるか否かが判断され、ＹＥＳのときはステップＳ３３に進む一方、ＮＯのときはステップＳ３４に進む。ステップＳ３３において、管理者設定の表示画面を含むＨＴＴＰ応答メッセージがクライアントパーソナルコンピュータ３０に送信され、図５の電子メール送受信設定処理に戻る。すなわち、管理者によって、設定項目Ｂ１〜Ｂ４の設定値を管理者によって設定することが設定されているとき、ユーザは設定項目Ｂ１〜Ｂ４を設定できない。
【００４８】
また、ステップＳ３４において、設定開始コマンドを送信したユーザ用の電子メール送受信設定の指示画面（例えば、図１０の表示例６０１）を含むＨＴＴＰ応答メッセージを、クライアントパーソナルコンピュータ３０に送信する。これにより、クライアントパーソナルコンピュータ３０の表示部１０４に、例えば、図１０の表示例６０１に示すような、ユーザ用の電子メール送受信設定の指示画面が表示される。図１０の表示例６０１の指示画面は、設定開始コマンドを送信したユーザのユーザ設定の設定画面であって、（ａ）第１のテーブルＴ１内の設定項目Ｂ１〜Ｂ４の各設定値を設定開始コマンドを送信したユーザに係る第２のテーブルＴ２に格納する第１のユーザ設定方法と、（ｂ）第１のテーブルＴ１内の設定項目Ｂ１〜Ｂ４の各設定値を、設定開始コマンドを送信したユーザに係る第２のテーブルＴ２内の設定項目Ｂ１〜Ｂ４の各設定値の初期値に設定し、当該初期値から所定の設定値に変更して入力可能な第２のユーザ設定方法と、（ｃ）第１のテーブルＴ１内の設定項目Ｂ１〜Ｂ４の各設定値を表示して参照可能な状態で設定開始コマンドを送信したユーザに係る第２のテーブルＴ２内の設定項目Ｂ１〜Ｂ４の各設定値を入力可能な第３のユーザ設定方法とのうちのどのユーザ設定方法を用いるかを入力可能なユーザ設定方法の指示画面６１０を含んでいる。ここで、ユーザは、「する」ボタン６０３をクリックすることにより、第１のユーザ設定方法を選択し、「しない」ボタン６０４及び「コピー」ボタン６０６の両方をクリックすることにより、第２のユーザ設定方法を選択し、「しない」ボタン６０４及び「管理者設定参照」ボタン６０５をクリックすることにより、第３のユーザ設定方法を選択できる。
【００４９】
図８のステップＳ３５において、マウスである操作部１０５を用いて図１０の「する」ボタン６０３がクリックされて、第１のユーザ設定方法の選択を指示するＨＴＴＰ要求メッセージが受信されたか否かが判断され、ＹＥＳのときはステップＳ３６に進む一方、ＮＯのときはステップＳ３７に進む。そして、ステップＳ３６において、第１のユーザ設定方法の選択を指示するＨＴＴＰ要求メッセージに応答して、第１のテーブルＴ１内の設定項目Ｂ１〜Ｂ４の各設定値を、設定開始コマンドを送信したユーザに係る第２のテーブルＴ２に格納し、図５の電子メール送受信設定処理に戻る。
【００５０】
また、ステップＳ３７において、「しない」ボタン６０４及び「コピー」ボタン６０６がクリックされて、第２のユーザ設定方法の選択を指示するＨＴＴＰ要求メッセージが受信されたか否かが判断され、ＹＥＳのときはステップＳ３８に進む一方、ＮＯのときはステップＳ４１に進む。そして、ステップＳ３８において、第２のユーザ設定方法の選択を指示するＨＴＴＰ要求メッセージに応答して、第１のテーブルＴ１内の設定項目Ｂ１〜Ｂ４の各設定値を設定開始コマンドを送信したユーザに係る第２のテーブルＴ２内の設定項目Ｂ１〜Ｂ４の各設定値の初期値として表示し、当該初期値から所定の設定値に変更して入力可能に構成されたユーザ設定指示画面を含むＨＴＴＰ応答メッセージをユーザ装置であるクライアントパーソナルコンピュータ３０に送信し、ステップＳ３９に進む。ユーザは、クライアントパーソナルコンピュータ３０の操作部１０５を用いて、表示部１０４に表示された管理者によって設定された第１のテーブル内の設定項目Ｂ１〜Ｂ４の各設定値を変更しながら、当該ユーザに係る第２のテーブルＴ２の設定項目Ｂ１〜Ｂ４の各設定値を入力する。次いで、ステップＳ３９において、入力された設定項目Ｂ１〜Ｂ４の各設定値を含むＨＴＴＰ要求メッセージが受信されたか否かが判断される。ステップＳ３９においてＮＯのときはステップＳ３５に戻る一方、ＹＥＳのときはステップＳ４０に進む。そして、ステップＳ４０において、受信された設定項目Ｂ１〜Ｂ４の各設定値を、設定開始コマンドを送信したユーザに係る第２のテーブルＴ２に格納し、図５の電子メール送受信設定処理に戻る。
【００５１】
また、ステップＳ４１において、「しない」ボタン６０４及び「管理者設定参照」ボタン６０５がクリックされて、第３のユーザ設定方法の選択を指示するＨＴＴＰ要求メッセージが受信されたか否かが判断され、ＹＥＳのときはステップＳ４２に進む一方、ＮＯのときはステップＳ４３に進む。そして、ステップＳ４２において、第３のユーザ設定方法の選択を指示するＨＴＴＰ要求メッセージに応答して、ユーザ設定指示画面及び第１のテーブルＴ１内の設定項目Ｂ１〜Ｂ４の各設定値を表示する参照画面（例えば、図１０の表示例６０２）を含むＨＴＴＰ応答メッセージを、ユーザ装置であるクライアントパーソナルコンピュータ３０に送信する。これにより、クライアントパーソナルコンピュータ３０の表示部１０４に、例えば、図１０の参照画面６０２が表示される。図１０の表示例６０２はポップアップウィンドウであり、ステップＳ３１において読み出された第１のテーブルＴ１内の設定項目Ｂ１〜Ｂ４の各設定値を表示するものである。ユーザは、参照画面６０２に表示された設定項目Ｂ１〜Ｂ４の設定値を参照しながら、クライアントパーソナルコンピュータ３０の操作部１０５を用いて、当該ユーザに係る第２のテーブルＴ２内の設定項目Ｂ１〜Ｂ４の各設定値を入力する。次いで、上述したステップＳ３９に進む。
【００５２】
さらに、ステップＳ４３において、その他の処理を指示するＨＴＴＰ要求メッセージを受信したか否かが判断される。ステップＳ４３においてＮＯのときはステップＳ３５に戻る一方、ＹＥＳのときは、ステップＳ４４において所定の処理を実行した後、ステップＳ３５に戻る。
【００５３】
例えば、設定項目Ｂ１〜Ｂ４に従って動作する従来技術に係る通信端末装置においては、当該通信端末装置の管理者又はユーザのいずれか一方しか当該設定項目Ｂ１〜Ｂ４を設定できなかった。すなわち、従来技術に係る通信端末装置は、設定項目Ｂ１〜Ｂ４の各設定値を管理者によって設定するか、もしくはユーザによって設定するかの設定者選択設定（設定項目Ａ１）の設定値を設定できなかった。従って、従来技術に係る通信端末装置が、設定項目Ｂ１〜Ｂ４の設定者を管理者に設定しているときは、設定項目Ｂ１〜Ｂ４の設定者をユーザに設定したい顧客の要求を満足できなかった。逆に、従来技術に係る通信端末装置が、設定項目Ｂ１〜Ｂ４目の設定者をユーザに設定しているときは、設定項目Ｂ１〜Ｂ４の設定者を管理者に設定したい顧客の要求を満足できなかった。
【００５４】
一方、以上詳述したように、本実施形態に係るＳ／ＭＩＭＥゲートウェイ装置２０は、ＲＡＭ７によって記憶された所定の設定項目Ｂ１〜Ｂ４の各設定値に従って動作する主制御部１を備えたＳ／ＭＩＭＥゲートウェイ装置２０において、ＲＡＭ７における管理者設定メモリ２は、Ｓ／ＭＩＭＥゲートウェイ装置２０の管理者によって設定された設定項目Ｂ１〜Ｂ４の各設定値を含む第１のテーブルＴ１を格納し、ユーザ設定メモリ３はＳ／ＭＩＭＥゲートウェイ装置２０の管理者以外のユーザによって設定された設定項目Ｂ１〜Ｂ４の各設定値を含む第２のテーブルＴ２とを格納したことを特徴としている。さらに、主制御部１は、管理者によって操作されているクライアントパーソナルコンピュータ３０である管理者装置から受信される設定開始コマンドを含むＨＴＴＰ要求メッセージ（図５のステップＳ１１）に応答して、所定の設定項目Ｂ１〜Ｂ４の各設定値を管理者によって設定するか、もしくはユーザによって設定するかの設定者選択設定（設定項目Ａ１）の設定値の指示画面を含むＨＴＴＰ応答メッセージを上記管理者装置に送信し（図６のステップＳ２１）、上記管理者装置から受信される、上記設定者選択設定の設定値を含むＨＴＴＰ要求メッセージ（図６のステップＳ２２）に応答して、受信された上記設定者選択設定の設定値をＲＡＭ７における管理者設定メモリ２の第３のテーブルＴ３に格納する（図６のステップＳ２３）。また、主制御部１は、第３のテーブルＴ３において設定項目Ｂ１〜Ｂ４の各設定値を管理者によって設定する設定値が格納されているときは、第１のテーブルＴ１内の設定項目Ｂ１〜Ｂ４の各設定値に従って動作する一方、第３のテーブルＴ３において設定項目Ｂ１〜Ｂ４の各設定値をユーザによって設定する設定値が格納されているときは、第２のテーブルＴ２内の設定項目Ｂ１〜Ｂ４の各設定値に従って動作する。従って、顧客の要求に応じて設定項目Ｂ１〜Ｂ４の各設定値の設定者を管理者及びユーザのいずれかに設定でき、従来技術に比較して高い利便性を有する通信端末装置を提供できる。
【００５５】
また、主制御部１は、ユーザによって操作されているクライアントパーソナルコンピュータ３０であるユーザ装置から受信される設定開始コマンドを含むＨＴＴＰ要求メッセージ（図５のステップＳ１１）に応答して、第３のテーブルＴ３に格納された設定者選択設定（設定項目Ａ１）の設定値が設定項目Ｂ１〜Ｂ４の各設定値をユーザによって設定することであるときは、（ａ）第１のテーブルＴ１内の設定項目Ｂ１〜Ｂ４の各設定値を設定開始コマンドを送信したユーザに係る第２のテーブルＴ２に格納する第１のユーザ設定方法と、（ｂ）第１のテーブルＴ１内の設定項目Ｂ１〜Ｂ４の各設定値を、設定開始コマンドを送信したユーザに係る第２のテーブルＴ２内の設定項目Ｂ１〜Ｂ４の各設定値の初期値に設定し、当該初期値から所定の設定値に変更して入力可能な第２のユーザ設定方法と、（ｃ）第１のテーブルＴ１内の設定項目Ｂ１〜Ｂ４の各設定値を表示して参照可能な状態で設定開始コマンドを送信したユーザに係る第２のテーブルＴ２内の設定項目Ｂ１〜Ｂ４の各設定値を入力可能な第３のユーザ設定方法とのうちのどのユーザ設定方法を用いるかを入力可能なユーザ設定方法の指示画面（例えば、図１０の表示例６０１）を含むＨＴＴＰ応答メッセージを、上記ユーザ装置に送信する。
【００５６】
さらに、図８に示すように、主制御部１は、上記ユーザ装置から受信される、第１のユーザ設定方法を選択することを指示するＨＴＴＰ要求メッセージに応答して、第１のテーブルＴ１内の設定項目Ｂ１〜Ｂ４の各設定値を第２のテーブルＴ２に格納する。また、ユーザ装置から受信される、第２のユーザ設定方法を選択することを指示するＨＴＴＰ要求メッセージに応答して、第１のテーブルＴ１内の設定項目Ｂ１〜Ｂ４の各設定値を第２のテーブルＴ２内の設定項目Ｂ１〜Ｂ４の各設定値の初期値として表示し、当該初期値から所定の設定値に変更して入力可能に構成された第１のユーザ設定指示画面を含むＨＴＴＰ応答メッセージを上記ユーザ装置に送信し、上記入力された設定値を含むＨＴＴＰ要求メッセージを上記ユーザ装置から受信し、上記受信された設定値を第２のテーブルＴ２に格納する。さらに、ユーザ装置から受信される、第３のユーザ設定方法を選択することを指示する要求信号に応答して、第１のテーブルＴ１内の設定項目Ｂ１〜Ｂ４の各設定値を表示する参照画面及び第２のテーブルＴ２内の設定項目Ｂ１〜Ｂ４の各設定値を入力可能に構成された第２のユーザ設定指示画面を表示する参照画面を含むＨＴＴＰ応答メッセージを上記ユーザ装置に送信し、上記入力された設定値を含むＨＴＴＰ要求メッセージを上記ユーザ装置から受信し、上記受信された設定値を上記第２のテーブルＴ２に格納する。従って、ユーザは、第１のテーブルＴ１内の設定項目Ｂ１〜Ｂ４の各設定値に関する情報が全く提供されない場合に比較して、設定項目Ｂ１〜Ｂ４の各設定値を簡単に入力できる。
【００５７】
なお、主制御部１は、上記ユーザ装置から受信される、第１のユーザ設定方法を選択することを指示するＨＴＴＰ要求メッセージに応答して、第１のテーブルＴ１内の設定項目Ｂ１〜Ｂ４の各設定値を第２のテーブルＴ２内の設定項目Ｂ１〜Ｂ４の各設定値の初期値として表示し、当該初期値から所定の設定値に変更して入力可能に構成された第１のユーザ設定指示画面を含むＨＴＴＰ応答メッセージを上記ユーザ装置に送信し、上記入力された設定値を含むＨＴＴＰ要求メッセージを上記ユーザ装置から受信し、上記受信された設定値を第２のテーブルＴ２に格納してもよい。
【００５８】
また、主制御部１は、上記ユーザ装置から受信される、第１のユーザ設定方法を選択することを指示するＨＴＴＰ要求メッセージに応答して、ユーザ装置から受信される、第３のユーザ設定方法を選択することを指示する要求信号に応答して、第１のテーブルＴ１内の設定項目Ｂ１〜Ｂ４の各設定値を表示する参照画面及び第２のテーブルＴ２内の設定項目Ｂ１〜Ｂ４の各設定値を入力可能に構成された第２のユーザ設定指示画面を表示する参照画面を含むＨＴＴＰ応答メッセージを上記ユーザ装置に送信し、上記入力された設定値を含むＨＴＴＰ要求メッセージを上記ユーザ装置から受信し、上記受信された設定値を上記第２のテーブルＴ２に格納してもよい。
【００５９】
さらに、上記実施形態において、主制御部１は上記第１から第３のユーザ設定方法のうちのどのユーザ設定方法を用いるかを入力可能なユーザ設定方法の指示画面を含むＨＴＴＰ応答信号を発生したが、本発明はこれに限らない。主制御部１は、上記第１から第３のユーザ設定方法のうちの少なくとも１つのユーザ設定方法の中からどのユーザ設定方法を用いるかを入力可能なユーザ設定方法の指示画面を含むＨＴＴＰ応答信号を発生してもよい。
【００６０】
またさらに、以上の実施形態において、Ｓ／ＭＩＭＥゲートウェイ装置２０のユーザ及び管理者は、クライアントパーソナルコンピュータ３０においてブラウザを起動し、表示部１０４に表示されたブラウザ画面において、Ｓ／ＭＩＭＥゲートウェイ装置２０のＩＰアドレスを指定して当該Ｓ／ＭＩＭＥゲートウェイ装置２０にログインしたが、本発明はこれに限らない。Ｓ／ＭＩＭＥゲートウェイ装置２０において、管理者用の所定のパスワードを設定し、制御部１は、図５のステップＳ１２において、当該管理者用のパスワードが入力されたか否かを判断し、ＹＥＳのときに図６の管理者用電子メール送受信設定処理を実行してもよい。このとき、Ｓ／ＭＩＭＥゲートウェイ装置２０において、上記管理者装置は、上記管理者装置に代えて設けられ、ＨＴＴＰ応答メッセージに含まれる画面を表示する表示部１０と、設定者選択設定の設定値（設定項目Ａ１の設定値）を入力する操作部１１とを備えた主制御部１であって、Ｓ／ＭＩＭＥゲートウェイ装置２０の主制御部１である。また、上記ユーザ装置は、上記ユーザ装置に代えて設けられ、ＨＴＴＰ要求メッセージに含まれる画面を表示する表示部１０と、設定項目Ｂ１〜Ｂ４の各設定値を入力する操作部１１とを備えた主制御部１であって、Ｓ／ＭＩＭＥゲートウェイ装置２０の主制御部１である。
【００６１】
また、以上の実施形態においては、Ｓ／ＭＩＭＥゲートウェイ装置２０の例について述べているが、本発明はこれに限らず、例えば公衆電話網又は公衆デジタル回線網などの公衆網やインターネットに接続された、所定の設定項目の設定値に従って動作する機能を有する、例えばデジタル複合機、電話機、データ通信装置、サーバ装置及びインターネットファクシミリ装置などを含む通信端末装置に適用することができる。
【産業上の利用可能性】
【００６２】
以上詳述したように、本発明に係る通信端末装置によれば、記憶手段は、通信端末装置の管理者によって設定された設定項目の設定値を含む第１のテーブルと、当該通信端末装置の管理者以外のユーザによって設定された上記設定項目の設定値を含む第２のテーブルとを格納し、上記制御手段は、上記管理者の管理者装置から受信される、上記設定項目の設定値を管理者によって設定するか、もしくはユーザによって設定するかの設定者選択設定の設定値を含む要求信号に応答して、受信された上記設定者選択設定の設定値を上記記憶手段に格納する。従って、顧客の要求に応じて上記設定項目の設定値の設定者を管理者及びユーザのいずれかに設定でき、従来技術に比較して高い利便性を有する通信端末装置を提供できる。
【図面の簡単な説明】
【００６３】
【図１】本発明の一実施形態であるＳ／ＭＩＭＥを用いて電子メールを送受信する機能を有するＳ／ＭＩＭＥゲートウェイ装置２０を備えたＬＡＮシステムの構成を示すブロック図である。
【図２】図１のクライアントパーソナルコンピュータ３０の構成を示すブロック図である。
【図３】図１のＳ／ＭＩＭＥゲートウェイ装置２０の構成を示すブロック図である。
【図４】図１のメールサーバ装置４０の構成を示すブロック図である。
【図５】図３のＳ／ＭＩＭＥゲートウェイ装置２０の主制御部１によって実行される、電子メール送受信設定処理を示すフローチャートである。
【図６】図３のＳ／ＭＩＭＥゲートウェイ装置２０の主制御部１によって実行される、管理者用電子メール送受信設定処理を示すフローチャートである。
【図７】図３のＳ／ＭＩＭＥゲートウェイ装置２０の主制御部１によって実行される、ユーザ用電子メール送受信設定処理の第１の部分を示すフローチャートである。
【図８】図３のＳ／ＭＩＭＥゲートウェイ装置２０の主制御部１によって実行される、ユーザ用電子メール送受信設定処理の第２の部分を示すフローチャートである。
【図９】図６のステップＳ２１においてクライアントパーソナルコンピュータ３０の表示部１０４に表示される、管理者用の電子メール送受信設定の指示画面の表示例５０１を示す正面図である。
【図１０】図７のステップＳ３４においてクライアントパーソナルコンピュータ３０の表示部１０４に表示される、管理者用の電子メール送受信設定の指示画面の表示例６０１及び図８のステップＳ３８においてクライアントパーソナルコンピュータ３０の表示部１０４に表示される、参照画面の表示例６０２を示す正面図である。
【符号の説明】
【００６４】
１…主制御部、
２…管理者設定メモリ、
３…ユーザ設定メモリ、
５…タイマ回路、
６…ＲＯＭ、
７…ＲＡＭ、
８…メールボックス、
９…ハードディスクドライブ、
１０…表示部、
１１…操作部、
１２…ＬＡＮインターフェース、
１３…バス、
２０…Ｓ／ＭＩＭＥゲートウェイ装置、
３０，３０−１〜３０−Ｎ…クライアントパーソナルコンピュータ、
４０…メールサーバ装置、
６０…ルータ装置、
７０…ローカルエリアネットワーク（ＬＡＮ）、
９０…インターネット、
５０１，６０１，６０２…表示例、
５０２−１〜５０２−６，５０３−１〜５０３−４…設定部、
５０４…指示部、
６０３〜６０６…ボタン、
Ｔ１…第１のテーブル、
Ｔ２，Ｔ２−１，Ｔ２−２，…，Ｔ２−Ｍ…第２のテーブル、
Ｔ３…第３のテーブル。
【図１】
2009271583.tif 000003
【図２】
2009271583.tif 000004
【図３】
2009271583.tif 000005
【図４】
2009271583.tif 000006
【図５】
2009271583.tif 000007
【図６】
2009271583.tif 000008
【図７】
2009271583.tif 000009
【図８】
2009271583.tif 000010
【図９】
2009271583.tif 000011
【図１０】
2009271583.tif 000012